(57)【要約】【課題】画像保存装置に保存されたデータを通常のジョブの実行に影響を及ぼさないようにバックアップすることのできる画像形成装置を提供する。【解決手段】ジョブの実行終了後、カラー画像形成装置１０が待機状態または非稼動状態になったとき、磁気ディスク装置１１２Ｙ、１１２Ｍ、１１２Ｃ、１１２Ｋに保存されている未バックアップの画像データを別の磁気ディスク装置にバックアップする。【選択図】図２
2006262048.tif 000002
【特許請求の範囲】
【請求項１】
入力された画像データを保存する画像保存装置と、
前記画像保存装置に保存されている画像データを他の保存装置にバックアップするバックアップ手段と、
を備え、
前記バックアップ手段は、当該画像形成装置が待機状態のときに、バックアップを実行する
ことを特徴とする画像形成装置。
【請求項２】
前記バックアップ手段は、前記画像保存装置への画像データの保存動作を含むジョブの実行終了後に当該画像形成装置が待機状態となったとき、前記ジョブで保存した画像データを他の保存装置にバックアップする
ことを特徴とする請求項１に記載の画像形成装置。
【請求項３】
入力された画像データを保存する画像保存装置と、
前記画像保存装置に保存されている画像データを他の保存装置にバックアップするバックアップ手段と、
を備え、
前記バックアップ手段は、当該画像形成装置が非稼動状態のときに、バックアップを実行する
ことを特徴とする画像形成装置。
【請求項４】
前記画像保存装置が磁気ディスク装置である
ことを特徴とする請求項１、２または３に記載の画像形成装置。
【発明の詳細な説明】
【技術分野】
【０００１】
本発明は、画像データを画像保存装置に保存する画像形成装置に係わり、特に、画像データをバックアップするための技術に関する。
【背景技術】
【０００２】
近年のデジタル複写機などの画像形成装置は、大量の画像データを磁気ディスク装置などの大容量の画像保存装置に保存できるように構成されている。
【０００３】
このような画像保存装置が故障すると、保存している画像データが消失して多大な損失をユーザに与えてしまう。そこで、故障する前に予め画像データをバックアップして画像データの消失を防ぐための各種技術が提案されている。たとえば、画像保存装置にデータを書き込んだ後に、連鎖的に別のバックアップ用の画像保存装置に同一のデータを書き込む方法が開示されている（たとえば、特許文献１参照。）。
【０００４】
【特許文献１】特開２００１−１００９２９号公報
【発明の開示】
【発明が解決しようとする課題】
【０００５】
画像保存装置に画像データを保存した後に続けてその画像データをバックアップ用の画像保存装置に保存する方法では、バックアップ処理の実行が次に行なわれる画像形成装置の本来のジョブの実行を阻害する虞がある。たとえば、原稿を連続的に読み取る場合に、読み取ったページの画像データを逐次バックアップするための処理が、次のページの円滑な読み取り動作に支障を与えてしまう。
【０００６】
本発明は、上記の問題を解決しようとするものであり、画像保存装置に保存されている画像データのバックアップを画像形成装置としての本来の処理に影響を及ぼさないように実行することのできる画像形成装置を提供することを目的としている。
【課題を解決するための手段】
【０００７】
以上の目的は以下のいずれかの構成によって達成される。
（１）入力された画像データを保存する画像保存装置と、
前記画像保存装置に保存されている画像データを他の保存装置にバックアップするバックアップ手段と、
を備え、
前記バックアップ手段は、当該画像形成装置が待機状態のときに、バックアップを実行する
ことを特徴とする画像形成装置。
【０００８】
（２）入力された画像データを保存する画像保存装置と、
前記画像保存装置に保存されている画像データを他の保存装置にバックアップするバックアップ手段と、
を備え、
前記バックアップ手段は、当該画像形成装置が非稼動状態のときに、バックアップを実行する
ことを特徴とする画像形成装置。
【０００９】
上記（１）に係わる発明によれば、画像保存装置に保存されている画像データは、画像形成装置が待機状態のときにバックアップされる。待機状態とは、たとえば、原稿の読み取り処理や画像形成処理などを実行しておらず、画像形成装置が次の処理（ジョブ）の入力を待っている状態などである。
【００１０】
上記（２）に係わる発明によれば、画像保存装置に保存されている画像データは、画像形成装置が非稼動状態のときにバックアップされる。非稼動状態とは、たとえば、省電力モードと呼ばれる状態であり、操作表示部の表示を消したり、ＣＰＵを割り込みのみ検知可能でその他の機能を休止したり、プリンタ部を休止したりなどして通常に比べて電力消費が少なくなるように機能や動作を制限した状態である。
【発明の効果】
【００１１】
本発明に係わるカラー画像形成装置によれば、画像保存装置に保存されている画像データを画像形成装置が待機状態や非稼動状態のときに他の保存装置にバックアップするので、画像形成装置の本来の処理に影響を与えたり、ユーザに迷惑をかけたりすることなく画像データをバックアップすることができる。
【発明を実施するための最良の形態】
【００１２】
以下、図面に基づき本発明の実施の形態を説明する。
【００１３】
図１は、本発明の実施の形態に係わるカラー画像形成装置１０の概略構成を示す断面図である。カラー画像形成装置１０は、カラーデジタル複写機と称される装置であり、原稿画像をカラーで読み取り、その複製のカラー画像を転写紙上に形成して出力する機能を備えている。
【００１４】
カラー画像形成装置１０は、自動原稿送り装置２０と、読取部３０と、プリンタ部４０とを備えている。自動原稿送り装置２０は、原稿載置トレイ２１に積載された原稿２を１枚ずつ読取部３０の読取箇所に送り込み、読み取り後の原稿を排紙トレイ２７に排出する機能を果たす。また両面原稿については、片面読み取り後、表裏を反転して再び読取部３０へ送り込む機能を備えている。
【００１５】
自動原稿送り装置２０は、原稿載置トレイ２１に積載された原稿を最上部から順に送り出す給紙ローラ２２と、原稿の読取箇所であるコンタクトガラス３１に原稿を密着させながら通過させるための密着ローラ２３と、給紙ローラ２２によって送り込まれた原稿２を密着ローラ２３に沿って案内する案内ローラ２４とを備えている。また、コンタクトガラス３１を通過した原稿の進行方向を切り替える切替爪２５と、両面原稿の表裏を反転させるための反転ローラ２６と、読み取りの完了した原稿が排出される排紙トレイ２７などを有している。
【００１６】
読取部３０は、画像読取手段としての役割を果たし、原稿をカラーで読み取る機能を有する。詳細には、原稿をレッド（Ｒ）、グリーン（Ｇ）、ブルー（Ｂ）の３色に分けて光学的に読み取り、これを、イエロー（Ｙ）、マゼンタ（Ｍ）、シアン（Ｃ）、ブラック（Ｋ）の４色の濃度データに変換した色別の画像データを出力するようになっている。
【００１７】
読取部３０は、光源３３とミラー３４とからなる露光走査部３５と、原稿からの反射光を受光しその光強度に応じた電気信号を色別に出力するカラー方式のラインイメージセンサ３６と、原稿からの反射光をラインイメージセンサ３６へ集光する集光レンズ３７と、露光走査部３５のミラー３４からの反射光をラインイメージセンサ３６へ導くための光学経路を形成する各種のミラー３８とを備えている。
【００１８】
自動原稿送り装置２０によって送り込まれた原稿を読み取るときは、露光走査部３５がコンタクトガラス３１の下方の読取箇所へ移動して停止し、その上を密着ローラ２３によって搬送されて移動する原稿を読み取るようになっている。プラテンガラス３２上に載置された原稿を読み取る場合には、プラテンガラス３２の下面に沿って左から右へと露光走査部３５が移動して静止状態の原稿を読み取るようになっている。
【００１９】
プリンタ部４０は、画像形成手段としての役割を果たし、電子写真方式を利用したタンデム方式のカラープリンタである。プリンタ部４０は、無端ベルト状の中間転写ベルト４１と、中間転写ベルト４１上にそれぞれ単一色の画像を形成する複数の像形成ユニット５０Ｙ、５０Ｍ、５０Ｃ、５０Ｋと、転写紙を給紙する給紙部７０と、給紙された転写紙を搬送する搬送部８０と、定着装置４２とを備えている。
【００２０】
像形成ユニット５０Ｙは、イエロー（Ｙ）色の画像を中間転写ベルト４１上に形成し、像形成ユニット５０Ｍは、マゼンタ（Ｍ）色の画像を中間転写ベルト４１上に形成する。像形成ユニット５０Ｃは、シアン（Ｃ）色の画像を中間転写ベルト４１上に形成し、像形成ユニット５０Ｋは、ブラック（Ｋ）色の画像を中間転写ベルト４１上に形成する。
【００２１】
像形成ユニット５０Ｙは、静電潜像が形成される円筒状の感光体ドラム５１Ｙと、その周囲に配置された帯電装置５２Ｙと、現像装置５３Ｙと、クリーニング装置５４Ｙとを有する。また、レーザーダイオードと、ポリゴンミラーと、各種レンズおよびミラーなどで構成されたレーザーユニット５５Ｙとを備えている。
【００２２】
感光体ドラム５１Ｙは、図示省略の駆動部に駆動されて一定方向（図中の矢印Ａ方向）に回転し、帯電装置５２Ｙは、感光体ドラム５１Ｙを一様に帯電させる。レーザーユニット５５Ｙは、Ｙ色の画像データに応じてオンオフされるレーザー光を感光体ドラム５１Ｙに照査して感光体ドラム５１Ｙ上に静電潜像を形成する。現像装置５０Ｙは、この静電潜像をイエロー色のトナーによって顕像化し、このトナー像は中間転写ベルト４１と接触する箇所で中間転写ベルト４１に転写される。クリーニング装置５４Ｙは、転写後に感光体ドラム５１Ｙの表面に残留するトナーをブレードなどで擦って除去し回収する機能を果たす。
【００２３】
像形成ユニット５０Ｍおよび像形成ユニット５０Ｃ、像形成ユニット５０Ｋは、トナーの色が相違することと、それぞれの色に対応する画像データでレーザー光がオンオフされる点を除いて像形成ユニット５０Ｙと同一の構成であり、個々の説明は省略する。なお、同じ構成要素には、数字が同一であって添え字をＹに代えてＭ、Ｃ、Ｋとした符号を付してある。
【００２４】
中間転写ベルト４１は複数のローラを巻回して回動可能に支持されている。中間転写ベルト４１は、図示省略の駆動手段により矢印Ｂの示す方向に周回する。周回する過程で、中間転写ベルト４１上に（Ｙ）、（Ｍ）、（Ｃ）、（Ｋ）の順に各色の画像が像形成ユニット５０Ｙ、５０Ｍ、５０Ｃ、５０Ｋによって重ねて形成されてカラー画像が合成される。このカラー画像は、中間転写ベルト４１の周回経路の下端部に設けた二次転写箇所Ｄで中間転写ベルト４１から転写紙に転写される。転写後に中間転写ベルト４１上に残留しているトナーは、クリーニング装置４４により除去される。
【００２５】
給紙部７０には、複数の給紙カセット７１があり、通常、サイズや紙種の異なる転写紙が収容される。各給紙カセット７１の出口近傍には、給紙カセット７１に収容された最上部の転写紙を１枚ずつ搬送部８０に向けて送り出す第１給紙ローラ７２が設けてある。また、各給紙カセット７１の出口には、送り出された転写紙を検知するための給紙センサ７３が設けてある。
【００２６】
搬送部８０は、給紙カセット７１から到来した転写紙を二次転写箇所Ｄおよび定着装置４２を通過させて機外の排紙トレイに排出する通常経路８０ａと、定着装置４２を通った転写紙の表裏を反転させた後、二次転写箇所Ｄの上流で再び通常経路８０ａへ合流させる反転経路８０ｂとから構成される。各経路８０ａ、８０ｂは、最小サイズの転写紙の送り方向サイズより短い間隔で多数の搬送ローラ８１を有している。
【００２７】
図２は、カラー画像形成装置１０の電気的な概略構成を示している。カラー画像形成装置１０は、当該装置の動作を統括制御するＣＰＵ（中央演算処理装置）１０１を備えている。ＣＰＵ１０１には、システムバス１０２を通じて読取部３０、プリンタ部４０、ＲＯＭ（リード・オンリ・メモリ）１０３、ＲＡＭ（ランダム・アクセス・メモリ）１０４、操作表示部１０５、ネットワーク制御部１０６、およびバスブリッジ１０８Ｙ、１０８Ｍ、１０８Ｃ、１０８Ｋを介してＹ色、Ｍ色、Ｃ色、Ｋ色を色別に担当する画像ブロック１１０Ｙ、１１０Ｍ、１１０Ｃ、１１０Ｋが接続されている。
【００２８】
ＲＯＭ１０３は、ＣＰＵ１０１が実行する各種のプログラムや固定データを記憶している。ＲＡＭ１０４は、ＣＰＵ１０１のワークメモリとして利用される他に、画像データを転送する際の一時的格納先としても利用される。操作表示部１０５は、ユーザに各種の案内表示や状態表示を行なったり、ユーザから各種の操作を受け付けたりする機能を有する。操作表示部１０５は、たとえば、表面にタッチパネルを備えた液晶ディスプレイと各種の操作スイッチと、これらを制御する操作部制御ＣＰＵなどで構成される。
【００２９】
ネットワーク制御部１０６は、ＬＡＮ（ローカル・エリア・ネットワーク）などのネットワークを通じて外部のコンピュータ装置などと各種のデータを授受するための回路である。
【００３０】
画像ブロック１１０Ｙ、１１０Ｍ、１１０Ｃ、１１０Ｋは、色別に画像データを取り扱う回路ブロックであり、画像ブロック１１０ＹはＹ色の画像データを、画像ブロック１１０ＭはＭ色を、画像ブロック１１０ＣはＣ色を、画像ブロック１１０ＫはＫ色をそれぞれ担当する。
【００３１】
画像ブロック１１０Ｙは、バスブリッジ１０８Ｙの下流側に接続された画像バス１１１Ｙを備え、これに画像データを保存するための磁気ディスク装置１１２Ｙと、メモリ制御部１１３Ｙとが接続されている。メモリ制御部１１３Ｙの配下には、画像メモリ１１４Ｙと圧縮伸張部１１５Ｙとが接続されている。
【００３２】
メモリ制御部１１３Ｙには、読取部３０から入力されるＹ色の画像データＹinが入力される。メモリ制御部１１３Ｙは、これを圧縮伸張部１１５Ｙで圧縮した後、画像メモリ１１４Ｙに書き込む機能を有する。また、画像メモリ１１４Ｙに格納されている圧縮されたＹ色の画像データを圧縮伸張部１１５Ｙで伸張して画像メモリ１１４Ｙに再格納し、この伸張されたＹ色の画像データを順次読み出して、プリンタ部４０のＹ色用レーザーユニット５５Ｙへ出力する機能を備えている。
【００３３】
さらに、メモリ制御部１１３Ｙは、画像バス１１１Ｙ側からのアクセス要求に応じて、画像バス１１１Ｙ上の画像データを画像メモリ１１４Ｙに書き込む機能や画像メモリ１１４Ｙから読み出した画像データを画像バス１１１Ｙ上へ出力する機能を果たす。
【００３４】
画像ブロック１１０Ｍ、画像ブロック１１０Ｃ、画像ブロック１１０Ｋは、それぞれ取り扱う画像データの色が相違する他は画像ブロック１１０Ｙと同一の構成で同様に動作するものであり、ここでは、これらの詳細な説明は省略する。なお、画像ブロック１１０Ｙの各構成要素と同じ構成要素には、数字が同一であって添え字をＹに代えてＭ、Ｃ、Ｋとした符号を付してある。
【００３５】
各色の磁気ディスク装置１１２Ｙ、１１２Ｍ、１１２Ｃ、１１２Ｋは読取部３０で読み取るなどして得た画像データを保存するための記憶領域であり、画像保存装置としての機能を果たす。なお、カラー画像形成装置１０は磁気ディスク装置１１２Ｙ、１１２Ｍ、１１２Ｃ、１１２Ｋのいずれかが故障した場合に、その故障したものを新しいものと交換し得るように構成されている。
【００３６】
ＣＰＵ１０１は、バックアップ手段１２１としての機能を備えている。バックアップ手段１２１は、各磁気ディスク装置１１２Ｙ、１１２Ｍ、１１２Ｃ、１１２Ｋが保存を担当する色の画像データ（以後、担当色データと呼ぶ。）を他の色を担当するすべての磁気ディスク装置に複製して、バックアップする役割を果たす。たとえば、Ｙ色用の磁気ディスク装置１１２Ｙが担当するＹ色の画像データの複製はＭ色、Ｃ色、Ｋ色を担当する各磁気ディスク装置１１２Ｍ、１１２Ｃ、１１２Ｋにそれぞれ保存されてバックアップされる。Ｍ色、Ｃ色、Ｋ色についても同様にバックアップされる。その結果、すべての磁気ディスク装置１１２Ｙ、１１２Ｍ、１１２Ｃ、１１２Ｋには全色の画像データが保存され、すべての磁気ディスク装置１１２Ｙ、１１２Ｍ、１１２Ｃ、１１２Ｋで保存内容が同一になる。
【００３７】
次に、カラー画像形成装置１０における画像データの流れを原稿の複写動作を例に説明する。
【００３８】
複写動作は、原稿画像を読み取って磁気ディスク装置１１２Ｙ、１１２Ｍ、１１２Ｃ、１１２Ｋへ画像データを色別に保存する画像入力動作と、磁気ディスク装置１１２Ｙ、１１２Ｍ、１１２Ｃ、１１２Ｋから画像データを読み出してプリンタ部４０で印刷する画像出力動作との組み合わせで実現される。
【００３９】
画像入力動作では、原稿の読み取り動作に従って読取部３０からＹ色の画像データＹin、Ｍ色の画像データＭin、Ｃ色の画像データＣin、Ｋ色の画像データＫinが同時並行に出力され、各画像ブロック１１０Ｙ、１１０Ｍ、１１０Ｃ、１１０Ｋに同時並行に入力される。
【００４０】
各画像ブロック１１０Ｙ、１１０Ｍ、１１０Ｃ、１１０Ｋは、それぞれに入力された画像データを順次圧縮して画像メモリ１１４Ｙ、１１４Ｍ、１１４Ｃ、１１４Ｋに格納する。画像メモリ１１４Ｙ、１１４Ｍ、１１４Ｃ、１１４Ｋに格納された画像データは、図示省略のデータ転送手段がバスマスタとなって磁気ディスク装置１１２Ｙ、１１２Ｍ、１１２Ｃ、１１２Ｋに転送されて保存される。このような動作が各色で同時並行に実行される。
【００４１】
画像出力動作では、カラー画像を構成する色別の画像データを磁気ディスク装置１１２Ｙ、１１２Ｍ、１１２Ｃ、１１２Ｋから同時並行に読み出して各画像ブロック１１０Ｙ、１１０Ｍ、１１０Ｃ、１１０Ｋの画像メモリ１１４Ｙ、１１４Ｍ、１１４Ｃ、１１４Ｋに一旦格納する。各画像ブロック１１０Ｙ、１１０Ｍ、１１０Ｃ、１１０Ｋは、画像メモリ１１４Ｙ、１１４Ｍ、１１４Ｃ、１１４Ｋに格納された画像データを圧縮伸張部１１５Ｙ、１１５Ｍ、１１５Ｃ、１１５Ｋで伸張した後、再度、画像メモリ１１４Ｙ、１１４Ｍ、１１４Ｃ、１１４Ｋに格納する。
【００４２】
その後、プリンタ部４０側から供給される所定のタイミング信号に従って各画像メモリ１１４Ｙ、１１４Ｍ、１１４Ｃ、１１４ＫからＹ色の画像データＹout、Ｍ色の画像データＭout、Ｃ色の画像データＣout、Ｋ色の画像データＫoutを順次読み出してプリンタ部４０へ同時並行に出力する。プリンタ部４０は、入力されたＹ色の画像データＹout、Ｍ色の画像データＭout、Ｃ色の画像データＣout、Ｋ色の画像データＫoutに基づいて用紙上にカラー画像を形成して出力する。
【００４３】
図３は、バックアップ手段１２１が行なう処理の流れを示している。この処理はカラー画像形成装置１０に入力された画像データを磁気ディスク装置１１２Ｙ、１１２Ｍ、１１２Ｃ、１１２Ｋに保存する作業を含むジョブの実行に伴って行なわれる。図では、読取部３０から画像データを入力する場合を示している。なお、ネットワーク制御部１０６を介して外部端末などから画像データを入力してもよい。また、画像データはページ記述言語で表わしたものであってもよい。この場合、ラスタイメージに展開する処理が画像データの入力処理の一部に含まれる。
【００４４】
読取部３０で原稿を読み取ることによって入力されたＹ色、Ｍ色、Ｃ色、Ｋ色の画像データはそれぞれの色を担当する磁気ディスク装置１１２Ｙ、１１２Ｍ、１１２Ｃ、１１２Ｋに保存される（ステップＳ２００）。画像データの保存が終了すると、カラー画像形成装置１０が待機状態になるのを待ち（ステップＳ２０１；Ｎ）、待機状態になると（ステップＳ２０１；Ｙ）、各磁気ディスク装置１１２Ｙ、１１２Ｍ、１１２Ｃ、１１２Ｋが保存を担当する色の画像データ（担当色データ）を他の色を担当するすべての磁気ディスク装置１１２Ｙ、１１２Ｍ、１１２Ｃ、１１２Ｋに複製して（ステップＳ２０２）、終了する（エンド）。
【００４５】
このように、待機状態を待つことで、カラー画像形成装置１０の他の処理に影響を及ぼすことなく画像データをバックアップすることができる。また、待機状態になったらすぐに今回の保存に係わる画像データの複製を作成してバックアップするので、バックアップされない状態が長く続くこともなく、バックアップの信頼性を高めることができる。なお、待機状態になる前に次のジョブが実行された場合には、その後、待機状態になったとき、それら複数のジョブに係わる画像データのバックアップがまとめて行なわれる。
【００４６】
また、担当色データを他の色を担当するすべての磁気ディスク装置１１２Ｙ、１１２Ｍ、１１２Ｃ、１１２Ｋにバックアップするので、磁気ディスク装置１１２Ｙ、１１２Ｍ、１１２Ｃ、１１２Ｋの中の複数台が故障した場合でも、少なくとも１台が機能していれば、すべての色の画像データを消失から救うことができる。
【００４７】
次に、バックアップ手段１２１が他のタイミングでバックアップを行なう場合を図４に基づいて説明する。ここでは、カラー画像形成装置１０が非稼動状態のときにバックアップするようになっている。
【００４８】
バックアップ手段１２１は、カラー画像形成装置１０が非稼動状態になると（ステップＳ２１０；Ｙ）、磁気ディスク装置１１２Ｙ、１１２Ｍ、１１２Ｃ、１１２Ｋの中に、バックアップされていない画像データを保存している磁気ディスク装置（以後、バックアップ未完了の磁気ディスク装置と呼ぶ。）が存在するか否かを検査する（ステップＳ２１１）。なお、この時点では非稼動状態であってもバックアップ手段１２１に係わる動作は実行可能になっている。
【００４９】
検査の結果、バックアップ未完了の磁気ディスク装置がある場合は（ステップＳ２１１；Ｙ）、バックアップされていない画像データを該当の磁気ディスク装置に複製しバックアップを完了させて（ステップＳ２１２）処理を終了する（エンド）。一方、バックアップ未完了の磁気ディスク装置がないときは（ステップＳ２１１；Ｎ）、そのまま処理を終了する（エンド）。なお、本処理の終了後は、バックアップ手段１２１も動作しない完全な非稼動状態に入るようになっている。
【００５０】
このように、非稼動状態になるのを待ってバックアップを実行するので、カラー画像形成装置１０の通常動作に影響を及ぼすことなく画像データをバックアップできる。すなわち、バックアップのためにジョブの実行が阻害されてユーザを待たせるようなことがない。
【００５１】
なお、バックアップ未完了か否かは、磁気ディスク装置１１２Ｙ、１１２Ｍ、１１２Ｃ、１１２Ｋのファイル管理テーブルを参照して判断する。すなわち、通常、磁気ディスク装置１１２Ｙ、１１２Ｍ、１１２Ｃ、１１２Ｋにデータを保存する場合には、保存しているデータに関してその識別情報、格納先アドレス、格納時刻、データサイズなどの情報を対応付けてファイル管理テーブルに記憶するようになっている。そこで、バックアップされるべきファイルの複製が予め定めたバックアップ先の磁気ディスク装置に保存されているか否かを、各磁気ディスク装置１１２Ｙ、１１２Ｍ、１１２Ｃ、１１２Ｋのファイル管理テーブルを比較することで確認してバックアップの完了／未完了を判断している。なお、判断方法は他の方法でもかまわない。たとえば、保存されている画像データを実際に比較してもよい。
【００５２】
以上、本発明の実施の形態を図面によって説明してきたが、具体的な構成は実施の形態に示したものに限られるものではなく、本発明の要旨を逸脱しない範囲における変更や追加があっても本発明に含まれる。
【００５３】
実施の形態では、カラーの画像形成装置１０の場合について説明していたが、モノクロの画像形成装置であってもかまわない。
【００５４】
また実施の形態では、図３に示した待機状態を待ってのバックアップ処理と図４に示した非稼動状態になったときのバックアップ処理とを説明したが、これらの一方のみを実行する構成でもよいし、双方を実行する構成にしてもよいし、実行する処理を選択可能に構成してもよい。
【００５５】
また実施の形態では、各磁気ディスク装置１１２Ｙ、１１２Ｍ、１１２Ｃ、１１２Ｋの担当色データを他のすべての磁気ディスク装置にバックアップするようにしたが、バックアップ先は他の一部の磁気ディスク装置でもよいし、バックアップ専用に設けられた別途の磁気ディスク装置でもよい。さらに、画像データの保存装置は、磁気ディスク装置に限らず、光磁気ディスク装置や書き換え可能なコンパクトディスク装置、ＤＶＤ（Digital Versatile Disk）装置、半導体メモリなどでもよいし、ネットワーク制御部１０６を介して接続されるファイルサーバであってもよい。
【図面の簡単な説明】
【００５６】
【図１】本発明の実施の形態に係わるカラー画像形成装置の概略構成を示す断面図である。
【図２】本発明の実施の形態に係わるカラー画像形成装置の電気的構成を示すブロック図である。
【図３】画像保存装置に保存された画像データのバックアップ処理を示す流れ図である。
【図４】画像形成装置が非稼動状態のときにバックアップが完了しているか否かを判断するバックアップ確認処理を示す流れ図である。
【符号の説明】
【００５７】
１０…カラー画像形成装置
２０…自動原稿送り装置
３０…読取部
４０…プリンタ部
７０…給紙部
８０…搬送部
１０１…ＣＰＵ
１０２…システムバス
１０３…ＲＯＭ
１０４…ＲＡＭ
１０５…操作表示部
１０６…ネットワーク制御部
１０８Ｃ…Ｃ色用バスブリッジ
１０８Ｋ…Ｋ色用バスブリッジ
１０８Ｍ…Ｍ色用バスブリッジ
１０８Ｙ…Ｙ色用バスブリッジ
１１０Ｃ…Ｃ色用画像ブロック
１１０Ｋ…Ｋ色用画像ブロック
１１０Ｍ…Ｍ色用画像ブロック
１１０Ｙ…Ｙ色用画像ブロック
１１１Ｃ…Ｃ色用画像バス
１１１Ｋ…Ｋ色用画像バス
１１１Ｍ…Ｍ色用画像バス
１１１Ｙ…Ｙ色用画像バス
１１２Ｃ…Ｃ色を担当する磁気ディスク装置
１１２Ｋ…Ｋ色を担当する磁気ディスク装置
１１２Ｍ…Ｍ色を担当する磁気ディスク装置
１１２Ｙ…Ｙ色を担当する磁気ディスク装置
１１３Ｃ…Ｃ色用メモリ制御部
１１３Ｋ…Ｋ色用メモリ制御部
１１３Ｍ…Ｍ色用メモリ制御部
１１３Ｙ…Ｙ色用メモリ制御部
１１４Ｃ…Ｃ色用画像メモリ
１１４Ｋ…Ｋ色用画像メモリ
１１４Ｍ…Ｍ色用画像メモリ
１１４Ｙ…Ｙ色用画像メモリ
１１５Ｃ…Ｃ色用圧縮伸張部
１１５Ｋ…Ｋ色用圧縮伸張部
１１５Ｍ…Ｍ色用圧縮伸張部
１１５Ｙ…Ｙ色用圧縮伸張部
１２１…バックアップ手段
Ｃin…読取部から入力されるＣ色の画像データ
Ｋin…読取部から入力されるＫ色の画像データ
Ｍin…読取部から入力されるＭ色の画像データ
Ｙin…読取部から入力されるＹ色の画像データ
Ｃout…プリンタ部へ出力するＣ色の画像データ
Ｋout…プリンタ部へ出力するＫ色の画像データ
Ｍout…プリンタ部へ出力するＭ色の画像データ
Ｙout…プリンタ部へ出力するＹ色の画像データ
【図１】
2006262048.tif 000003
【図２】
2006262048.tif 000004
【図３】
2006262048.tif 000005
【図４】
2006262048.tif 000006